(57)【要約】【課題】インプラント体や歯肉を傷つけることなく作用先端を歯周ポケット内部の、インプラント体の深い位置まで容易に挿入することができ、清掃処置等に係る時間の短縮と処置後の治癒効果の向上ができる好適なチップを提供する。【解決手段】ボディ部４０とヘッド部３０を有するチップ２０であって、ボディ部４０が、振動源を内蔵するハンドピース１０に装着される基部４０ａと、基部４０ａに対して所定方向に屈曲する首部４１とを有し、ヘッド部３０が、所定方向と逆向きの鎌型状であって、所定方向に対する高さがほぼ一定で、所定方向と直交する幅が先端に行くにしたがって漸次薄くなる先薄形状に形成されているチップ２０。【選択図】図２
2019042303.tif 000002
【特許請求の範囲】
【請求項１】
ボディ部とヘッド部を有するチップであって、
前記ボディ部が、振動源を内蔵するハンドピースに装着される基部と、前記基部に対して所定方向に屈曲する首部とを有し、
前記ヘッド部が、前記所定方向と逆向きの鎌型状であって、前記所定方向に対する高さがほぼ一定で、前記所定方向と直交する幅が先端に行くにしたがって漸次薄くなる先薄形状に形成されていることを特徴とするチップ。
【請求項２】
前記ボディ部が金属からなるとともに、前記ヘッド部がスーパーエンジニアリングプラスチックから成形され、前記ボディ部と前記ヘッド部とが一体となるように構成されていることを特徴とする請求項１に記載のチップ。
【請求項３】
前記ボディ部の首部に、前記チップの作用先端に向けて液体を放出するための放出孔が形成されていることを特徴とする請求項１または請求項２に記載のチップ。
【発明の詳細な説明】
【技術分野】
【０００１】
本発明はチップに関し、より詳細には、振動発生部を内蔵するハンドピースに装着され、インプラント体の清掃処置やインプラント周囲炎の治療等に用いるチップに関する。
【背景技術】
【０００２】
振動を用いたインプラント用メインテナンス装置は、インプラント体の清掃処置やインプラント周囲炎の治療等（以下、「清掃処置等」と言う）に用いられている。このようなインプラント用メインテナンス装置は、ハンドピースとチップとを有しており、ハンドピースの把持部にはエアー駆動による振動発生部あるいは超音波振動子を用いた電気駆動による振動発生部が内蔵され、この振動発生部からの振動をハンドピース先端に装着したチップに伝える。
【０００３】
そして、ハンドピースの振動発生部からの振動は、振動体によって増幅されチップに伝達されるようになっている。チップの作用先端は、歯周ポケット（インプラント体と歯肉の間）に挿入されて、清掃処置等を行うために用いられる。
【０００４】
このようなインプラント用メインテナンス装置は、チップの作用先端の振動によって清掃処置等を行うのに用いられる。このため、例えば、特許文献１では、流体通路を有するステンレス鋼、炭素充填ポリカーボネートまたはグラファイト複合材料のチップが開示されている。また、特許文献２では、樹脂のマトリクスで固められた繊維から形成される各種形状（直線、つぼみ形、小板形、キューレット形、湾曲）のチップが開示されている。
【先行技術文献】
【特許文献】
【０００５】
【特許文献１】特表平１０−５０２５４６号公報
【特許文献２】特許第３４２９２４７号公報
【発明の概要】
【発明が解決しようとする課題】
【０００６】
このように、従来から、振動するチップの作用先端により清掃処置等が行われているが、例えば、特許文献１または特許文献２に開示されたものでは、作用先端の剛性が高いため、清掃処置等を行う際に人口歯冠が干渉し、インプラント体の深い位置まで挿入できない問題や、無理に挿入するとインプラント体や歯肉を傷つけるという問題があった。
【０００７】
本発明は、これらの実情に鑑みてなされたものであり、振動発生部を内蔵するハンドピースに装着されるチップであって、インプラント体や歯肉を傷つけることなく作用先端を歯周ポケット内部の、インプラント体の深い位置まで容易に挿入できる、清掃処置等に好適なチップを提供することをその目的とする。
【課題を解決するための手段】
【０００８】
上記課題を解決するために、請求項１の発明は、ボディ部とヘッド部を有するチップであって、前記ボディ部が、振動源を内蔵するハンドピースに装着される基部と、前記基部に対して所定方向に屈曲する首部とを有し、前記ヘッド部が、前記所定方向と逆向きの鎌型状であって、前記所定方向に対する高さがほぼ一定で、前記所定方向と直交する幅が先端に行くにしたがって漸次薄くなる先薄形状に形成されていることを特徴とするものである。
【０００９】
請求項２の発明は、請求項１の発明において、前記ボディ部が金属からなるとともに、前記ヘッド部がスーパーエンジニアリングプラスチックから成形され、前記ボディ部と前記ヘッド部とが一体となるように構成されていることを特徴とするものである。
【００１０】
請求項３の発明は、請求項１または請求項２の発明において、前記ボディ部の首部に、前記チップの作用先端に向けて液体を放出するための放出孔が形成されていることを特徴とするものである。
【発明の効果】
【００１１】
本発明によれば、インプラント体や歯肉を傷つけることなく作用先端を歯周ポケット内部の、インプラント体の深い位置まで容易に挿入することができ、処置の際に生じる患者の痛みや不快感を軽減し、清掃処置等に係る時間の短縮と処置後の治癒効果の向上ができる。
【図面の簡単な説明】
【００１２】
【図１】本発明に係るチップを装着したハンドピースの一例を示す図である。
【図２】本発明に係るチップの一例を示す側面図である。
【図３】本発明に係るチップの一例を示す平面図である。
【図４】本発明に係るチップの一例を示す断面図である。
【図５】本発明に係るチップのボディ部の一例を示す図である。
【図６】本発明のチップを使用している状態の一例を示す図である。
【発明を実施するための形態】
【００１３】
以下、図面を参照しながら、本発明のチップに係る好適な実施の形態について説明する。以下の説明において、異なる図面においても同じ符号を付した構成は同様のものであるとして、その説明を省略する場合がある。
【００１４】
図１は、本発明に係るチップ２０をハンドピース１０に装着した状態の一例を示す図である。ハンドピース１０は、チップ２０の振動源として超音波素子またはエアーのいずれを用いるものであっても構わない。ハンドピース１０には、不図示の歯科治療ユニットから電力や冷却水の供給を受けるためのホースが接続される。
【００１５】
チップ２０の内部には、基部４０ａから首部４１に至るまで液体供給路４３が設けられている。これにより、チップ２０をハンドピース１０に装着した際、ハンドピース内に導通された冷却水等の液体は、チップ２０内の液体供給路４３を通ってチップ２０の首部４１に設けられた放出孔４２から放出し、後述の作用先端３３ａの方向に向けて放出されるようになっている。
【００１６】
本発明の主たる目的は、振動発生部を内蔵するハンドピースに装着されるチップであって、インプラント体や歯肉を傷つけることなく作用先端を歯周ポケット内部の、インプラント体の深い位置まで容易に挿入することができ、清掃処置等に係る時間の短縮と処置後の治癒効果の向上ができる好適なチップを提供することである。このための構成として、本発明に係るチップは、ボディ部とヘッド部を有するチップであって、ボディ部が、振動源を内蔵するハンドピースに装着される基部と、基部に対して所定方向に屈曲する首部とを有し、ヘッド部が、所定方向と逆向きの鎌型状であって、所定方向に対する高さがほぼ一定で、所定方向と直交する幅が先端に行くにしたがって漸次薄くなる先薄形状に形成されているが、以下にチップの構成について説明する。
【００１７】
図２および図３は、本発明に係るチップの一例を示す図である。図２および図３に示すチップ２０は、ハンドピース１０に取り付けられるボディ部４０と、作用先端３３ａを有するヘッド部３０を備えている。ここで、作用先端３３ａとは、チップ２０を清掃処置等に用いる場合に、直接対象部位に接触させる箇所を意味している。
【００１８】
図２および図３に示すチップ２０では、ボディ部４０は全体として棒状に構成されているが、その後端（図の右端）には、ハンドピース１０に装着するための中空ボルト状の基部４０ａを有しており、前端側は前端に向かって漸次細くなる首部４１を有している。この首部４１は、その中間部において基部４０ａに対し、すなわちボディ部４０の軸方向に対し、所定の角度（例えば、約４５度）をなすように上方に屈曲しており、首部４１の所定方向とは逆側の側面には、後述の作用先端３３ａの方向に液体を放出するための放出孔４２が設けられている。
【００１９】
また、図５に示すように、ボディ部４０は、その内部に基部４０ａから放出孔４２に至る液体供給路４３を有しており、ハンドピース１０から供給される液体を放出孔４２まで導通するように構成されている。また、首部４１の前端付近には、後述のように、ヘッド部３０の接合部３１と確実に一体に接合するよう、二か所のくびれ部４１ａが設けられている。
【００２０】
一方、図２および図３に示すように、ヘッド部３０は、直線状の接合部３１と、接合部３１に対し所定の角度（例えば、約６０度）をなすように下方に屈曲して連なる直線状の中間部３２と、さらに中間部３２の延長状に連なる下向き円弧状の作用部３３が一体に成形され、また、ヘッド部３０は、高さ方向寸法はほぼ一定としつつ、左右の幅が先端に行くにしたがって漸次薄くなる先薄形状に形成されている結果、全体として下向きの鎌型状に構成されている。作用部３３の前端（図の左端）は、歯肉Ｇの歯肉とインプラント体の間に挿入することができるよう、０．３ｍｍ以上１．０ｍｍ以下の厚さで、ボディ部４０の長手方向に対して所定角度（例えば、約７０度）をなす斜め下方向きの舌片状に構成された作用先端３３ａとなっている。ヘッド部３０は、その全長にわたり上面が長手方向に滑らかで、かつ上方に膨らんだ湾曲面３０ａとなっている。この結果、図４（ｃ）に示すように、作用先端３３ａにおける断面形状は、縦長の略長方形状であって、その上辺が上方に膨らんだ湾曲状になる。また、作用先端３３ａは舌片状の形状となっているが、その稜線部は歯肉を傷つけないよう、曲率半径Ｒ３．０ｍｍ以下に形成されている。
【００２１】
チップ２０は、ボディ部４０の首部４１の前端とヘッド部３０の接合部３１とが、一直線上となるように形成されている。チップ２０は、例えば、チタン等の金属の棒の内部を切削して液体供給路４３とするとともに、放出孔４２を形成したボディ部４０の首部４１を屈曲させ、首部４１の先端を樹脂用のインサート成形金型に装着した後、ヘッド部３０全体をＰＥＥＫ（ポリエーテルエーテルケトン）樹脂、ＰＳＵ（ポリスルホン）樹脂、ＰＥＳＵ（ポリエーテルスルホン）樹脂、ＰＡＩ（ポリアミドイミド）樹脂などのスーパーエンジニアリングプラスチックの射出成形によって作製することにより、全体が一体となるように構成することができる。この際、図４（ａ）および図５に示すように、くびれ部４１ａは、リング状のくびれではなく上下方向の溝として形成しているため、くびれ部４１ａに対応する位置における接合部３１の断面は図４（ａ）のように、首部４１の左右両側に上下方向に形成されたくびれ部４１ａに接合部３１を構成する樹脂が流れ込んで固化し、樹脂で形成された接合部３１と首部４１との相互回転が生じない確実な接合が実現する。一方、くびれ部４１ａが形成されていない位置における断面は、図４（ｂ）のようになる。いずれの場合も、接合部３１を含むヘッド部３０は、その全長にわたり断面の外形が略台形状であって、その上辺が上方に膨らんだ湾曲状になる。
【００２２】
図６に示すように、本実施例に係るチップ２０を用いて人工歯冠Ｔあるいはインプラント体の清掃処置等を行う場合には、人工歯冠Ｔと歯肉Ｇとの間に作用先端３３ａを挿入して用いる。この際、接合部３１と中間部３２とが所定の角度をなしているため、口内の様々な位置にある人工歯冠Ｔに対して、その内側および外側のいずれを処置する場合でも、ヘッド部３０が人工歯冠Ｔと干渉することなく中間部３２を人工歯冠Ｔの側面近傍に沿わせることができる。そして、中間部３２の延長状に下向き円弧状の作用部３３が連なっていることにより、作用部３３を確実に人工歯冠Ｔの側面近傍に沿わせ、作用先端３３ａを歯周ポケット内に容易に挿入することができる。これらにより、人工歯冠Ｔ、インプラント体あるいは歯肉Ｇを傷つけることなく作用先端３３ａを歯周ポケットに挿入することができるため、清掃処置等に係る時間の短縮と処置後の治癒効果の向上ができる。
【００２３】
また、ヘッド部３０は、ボディ部４０と一体に形成されており、かつ、高さ方向寸法はほぼ一定に形成されているため、人工歯冠Ｔに対する処置を行う際、ボディ部４０の軸方向（前後方向）に処置者が力を加えた場合には、ヘッド部３０の変形が抑制されているため、清掃処置等に必要な力が吸収されることなく効率的に作用先端３３ａに伝達することができる。一方、ヘッド部３０は、左右の幅が先端に行くにしたがって漸次薄くなる先薄形状に形成されているため、左右方向のしなりによる変形が容易に生じる。このため、作用部３３を確実に人工歯冠Ｔの側面に沿わせ、作用先端３３ａを人工歯冠Ｔに密接させて、歯肉Ｇに不必要な力を加えることなく、歯周ポケット内部に極めて容易に挿入することができる。さらに、清掃処置等においてはヘッド部３０の各部がしなりにより一時的に変形するため、作用先端３３ａをインプラント体の深い位置まで容易に挿入できる。
【００２４】
清掃処置等においては、必要に応じて放出孔４２から水等の流体を作用先端３３ａの方向に放出させ、清掃処置等を行っている部位の冷却と、清掃処置等により発生した摩耗片の除去等を行うことができる。
【００２５】
ここまでは、下顎の人工歯冠に対する清掃処置等を行う状況を想定して、所定方向を上向きとして説明したが、上顎の人工歯冠を清掃処置等する場合には、ハンドピースを上下逆に持ち替えて行うため、上下の説明が逆になることは言うまでもない。
【００２６】
本発明によれば、上方に屈曲する首部を有するボディ部と、高さ方向寸法はほぼ一定としつつ左右の幅が先端に行くにしたがって漸次薄くなる先薄形状に形成された下向き鎌型状のヘッド部とが一体となるように構成したので、インプラント体や歯肉を傷つけることなく作用先端を歯周ポケット内部の、インプラント体の深い位置まで容易に挿入することができ、清掃処置等に係る時間の短縮と処置後の治癒効果の向上ができる。
【符号の説明】
【００２７】
１０…ハンドピース、２０…チップ、３０…ヘッド部、３０ａ…湾曲面、３１…接合部、３２…中間部、３３…作用部、３３ａ…挿入部、４０…ボディ部、４０ａ…基部、４１…首部、４１ａ…くびれ部、４２…放出孔、４３…液体供給路、Ｔ…人工歯冠、Ｇ…歯肉。
【図１】
2019042303.tif 000003
【図２】
2019042303.tif 000004
【図３】
2019042303.tif 000005
【図４】
2019042303.tif 000006
【図５】
2019042303.tif 000007
【図６】
2019042303.tif 000008